(57)【要約】【課題】聴取ソースの切り替え時におけるスピーカからの出力音量の著しい変動をなくし、違和感の少ない適切な出力音量変化を得る。【解決手段】割り込み信号に応答して、現在使用している第１の音源ソースから第２の音源ソースを切り替え、制御信号で音量が制御される電子ボリュームを介して音量を制御して出力する音源切り替え方法であり、第１と第２の音源ソースに対して予め第１と第２の音量を設定しておき、割り込み信号がないときは、第１の音量を特定音量とし、割り込み信号があるときは、第２の音量を特定音量とし、現在設定されている音量が特定音量よりも小さいときには、音量を制御するための制御信号を予め定めた単位音量ずつ増加させ、大きいときには、制御信号を予め定めた単位音量ずつ減少させる。【選択図】図２
2006166187.tif 000002
【特許請求の範囲】
【請求項１】
割り込み信号に応答して、現在使用している第１の音源ソースから第２の音源ソースを切り替え、制御信号で音量が制御される電子ボリュームを介して音量を制御して出力する音源切り替え方法において、
前記第１と第２の音源ソースに対して予め第１と第２の音量を設定しておき、
前記割り込み信号がないときは、前記第１の音量を特定音量とし、前記割り込み信号があるときは、前記第２の音量を特定音量とし、
現在設定されている音量が前記特定音量よりも小さいときには、音量を制御するための前記制御信号を前記第２音量に達するまで予め定めた単位音量ずつ増加させ、
現在設定されている音量が前記特定音量よりも大きいときには、前記制御信号を予め定めた単位音量ずつ減少させることを特徴とする音源切り替え方法。
【請求項２】
ＲＤＳ聴取中に、入力される割り込み信号に応答して、現在聴取中の現在放送局周波数の被割り込み音源ソースから代替放送局周波数の割り込み音源ソースに切り替え、制御信号で音量が制御される電子ボリュームを介して音量を制御して出力する音源切り替え方法において、
前記被割り込み音源ソースと割り込み音源ソースに対して予め第１と第２の音量を設定しておき、
前記割り込み信号がないときは、前記第１の音量を特定音量とし、前記割り込み信号があるときは、前記第２の音量を特定音量とし、
現在設定されている音量が前記特定音量よりも小さいときには、音量を制御するための前記制御信号を前記第２音量に達するまで予め定めた単位音量ずつ増加させ、
現在設定されている音量が前記特定音量よりも大きいときには、前記制御信号を予め定めた単位音量ずつ減少させることを特徴とする音源切り替え方法。
【請求項３】
前記割り込み音源ソースは、交通情報放送局からの音源ソースであることを特徴とする請求項１又は２に記載の音源切り替え方法。
【請求項４】
アンテナを介して受信した所定放送周波数の電波を受信処理するチューナと、
前記チューナからの出力信号の音量を、制御信号により制御する電子ボリューム回路と、
前記電子ボリューム回路からの出力を増幅する増幅器と、
割り込み信号に応答して、現在聴取中の音源ソースである被割り込みソースから新たな音源ソースとして聴取する割り込みソースの音量情報に基づいて前記電子ボリューム回路の音量を制御するマイコンと、
を備え、
前記マイコンは、前記被割り込み音源ソースと割り込み音源ソースに対して予め第１と第２の音量を設定しておき、前記割り込み信号がないときは、前記第１の音量を特定音量とし、前記割り込み信号があるときは、前記第２の音量を特定音量とし、現在設定されている音量が前記特定音量よりも小さいときには、音量を制御するための前記制御信号を前記第２音量に達するまで予め定めた単位音量ずつ増加させ、現在設定されている音量が前記特定音量よりも大きいときには、前記制御信号を予め定めた単位音量ずつ減少させることを特徴とする音源切り替え装置。
【請求項５】
前記割り込み音源ソースは、交通情報放送局からの音源ソースであることを特徴とする請求項４に記載の音源切り替え装置。
【発明の詳細な説明】
【技術分野】
【０００１】
本発明は音源切り替え方法及び装置に関し、例えば、ＲＤＳにおける音源ソースの切り替わり時の音量変化をスムーズに行うようにした音源切り替え方法及び装置に関する。
【背景技術】
【０００２】
ヨーロッパで広く実用化されているＲＤＳ(ラジオデータシステム)は、ＦＭ放送に各種データを多重放送するシステムであり、各種データとして放送識別コード(ＰＩコードという)、同一ネットワークの代替周波数リスト(ＡＦリスト)、放送局名コード(ＰＳコード)等がある。
【０００３】
車両で広いエリアを移動すると、当該車両が受信できる放送電波も異なる放送局からの電波となり、受信放送内容が異なってしまう可能性がある。そこで、上記ＡＦリストに基づいて同一放送内容の周波数電波を受信するような機能がＡＦ機能であり、交通情報を聴くためにＲＤＳ用ラジオ受信機を当該車両に搭載する。
【０００４】
すなわち、車両を運転中に目的地に至る道路の混雑状況等を知るための交通情報は、上記ＲＤＳのように、１つの放送局からの音楽等の放送情報を受信中であっても他局で交通情報の受信可能であるときには、割り込みにより交通情報局の受信可能となるものがある。これらの交通情報は、放送情報と同様にＦＭ変調され電波信号の形態で伝播されている。
【０００５】
車両内に設置されたラジオ受信機により上記交通情報局と放送情報局は受信される。交通情報と放送情報は、ラジオ受信機により選択的に受信されるが、受信して聴く際のスピーカからの出力音量を両情報局ともに一定とすることは非常に困難である。これは、例えば、変調の深さが放送局により異なることが主因である。スピーカからの出力音量を所定の値に設定するボリューム設定も可能であるが、従来のこの種ラジオ受信機では、交通情報中のボリューム設定では、設定された音量に強制的に切り換わるため、音楽等の放送情報を受信して所定の適切な音量で聴いているにもかかわらず、交通情報局の受信に切り替えると、上記のような変調のような変調の深さの違いに起因してスピーカ出力音量が変わってしまい、出力音量が小さくなって聴き難くなってしまう場合がある。
【０００６】
特に、ヨーロッパ等のローカル局は、変調の設定が厳格でなく、ラジオ受信機側で一律にボリューム設定をした場合でも（特に国が異なると顕著であるが）、局によって変調の深さが異なるため必ずしも同じ出力音量にならない。このため、ボリュームを再設定しなければならず、操作性の面で問題があった。例えば、過変調の局からの放送を受信して交通情報受信時のボリュームを設定すると（例えば、−４０ｄＢ）、過変調でない交通情報局からの放送を受信したときには、−４０ｄＢでは音量が小さ過ぎることになる。
【０００７】
以上の問題は、過変調ぎみの国で交通情報受信時のボリュームを設定した後、異なる国でドライブ中に交通情報を聴く場合に生じ易い。
【０００８】
かかる問題を軽減するための提案もある（特許文献１）。この特許文献１では、交通情報の受信が可能で、交通情報受信時の出力音量を予め定めることが可能な構成とし、予め定めた出力音量をメモリに記憶しておき、メモリに記憶されている交通情報受信時の出力音量が現在聴いている音量よりも大きいときには、出力音量をメモリに記憶されている出力音量に設定し、一方、メモリに記憶されている交通情報受信時の出力音量が現在聴いている音量よりも小さいときには現在聴いている音量のままの設定とする。
【０００９】
このシステムでは、ＲＤＳで放送を聴取中に、自局の交通情報等のＲＤＳ割り込みが発生した場合には、ミュートをかけずに上記割り込み機能に移行することになり、出力音量をメモリに予め記憶させておいた割り込みソース専用として設定されたメモリに記憶された一定音量に一気に切り替える。
【００１０】
【特許文献１】特開平９−２４７０２３（段落番号〔０００８〕、図２）
【発明の開示】
【発明が解決しようとする課題】
【００１１】
特許文献１に記載されているラジオ受信機では、ＲＤＳ放送聴取中の、交通情報等のＲＤＳ割り込み発生時に、ミュートをかけずに割り込み機能に移行し、出力音量を一気に切り替えている。
【００１２】
しかしながら、かかる割り込み（切り替わる）側のソース（放送局電波）と、割り込まれる側の、つまり、被割り込み（切り替わられる）側のソース（放送局電波）を受信して聴取音量レベルは異なる。したがって、上記メモリに記憶されている音量と、割り込みソースや被割り込みソースの音量の差が大きい場合には、出力音量が一気に増大、或いは減少することになり、また、切り替え時に切り替えノイズも発生してしまうため、ユーザに対して不快感を与えることになる。ここで、割り込むソースと被割り込みソースとしては、放送局情報に限らずテープレコーダ、ＣＤプレーヤ、ＭＤプレーヤ等のソース等がある。
【００１３】
以上の問題は、ＲＤＳ等の受信機に限らず、複数の音源ソースを切り替え出力するような音源切り替え方法及び装置についても同様である。
【００１４】
そこで、本発明の目的は、聴取ソースの切り替え時におけるスピーカからの出力音量の著しい変動をなくし、違和感の少ない適切な出力音量変化が得られる音源切り替え方法及び装置を提供することにある。
【課題を解決するための手段】
【００１５】
前述の課題を解決するため、本発明による音源切り替え方法及び装置は、次のような特徴的な構成を採用している。
【００１６】
（１）割り込み信号に応答して、現在使用している第１の音源ソースから第２の音源ソースを切り替え、制御信号で音量が制御される電子ボリュームを介して音量を制御して出力する音源切り替え方法において、
前記第１と第２の音源ソースに対して予め第１と第２の音量を設定しておき、
前記割り込み信号がないときは、前記第１の音量を特定音量とし、前記割り込み信号があるときは、前記第２の音量を特定音量とし、
現在設定されている音量が前記特定音量よりも小さいときには、音量を制御するための前記制御信号を前記第２音量に達するまで予め定めた単位音量ずつ増加させ、
現在設定されている音量が前記特定音量よりも大きいときには、前記制御信号を予め定めた単位音量ずつ減少させる音源切り替え方法。
（２）ＲＤＳ聴取中に、入力される割り込み信号に応答して、現在聴取中の現在放送局周波数の被割り込み音源ソースから代替放送局周波数の割り込み音源ソースに切り替え、制御信号で音量が制御される電子ボリュームを介して音量を制御して出力する音源切り替え方法において、
前記被割り込み音源ソースと割り込み音源ソースに対して予め第１と第２の音量を設定しておき、
前記割り込み信号がないときは、前記第１の音量を特定音量とし、前記割り込み信号があるときは、前記第２の音量を特定音量とし、
現在設定されている音量が前記特定音量よりも小さいときには、音量を制御するための前記制御信号を前記第２音量に達するまで予め定めた単位音量ずつ増加させ、
現在設定されている音量が前記特定音量よりも大きいときには、前記制御信号を予め定めた単位音量ずつ減少させる音源切り替え方法。
（３）前記割り込み音源ソースは、交通情報放送局からの音源ソースである上記（１）又は（２）の音源切り替え方法。
（４）アンテナを介して受信した所定放送周波数の電波を受信処理するチューナと、
前記チューナからの出力信号の音量を、制御信号により制御する電子ボリューム回路と、
前記電子ボリューム回路からの出力を増幅する増幅器と、
割り込み信号に応答して、現在聴取中の音源ソースである被割り込みソースから新たな音源ソースとして聴取する割り込みソースの音量情報に基づいて前記電子ボリューム回路の音量を制御するマイコンと、
を備え、
前記マイコンは、前記被割り込み音源ソースと割り込み音源ソースに対して予め第１と第２の音量を設定しておき、前記割り込み信号がないときは、前記第１の音量を特定音量とし、前記割り込み信号があるときは、前記第２の音量を特定音量とし、現在設定されている音量が前記特定音量よりも小さいときには、音量を制御するための前記制御信号を前記第２音量に達するまで予め定めた単位音量ずつ増加させ、現在設定されている音量が前記特定音量よりも大きいときには、前記制御信号を予め定めた単位音量ずつ減少させる音源切り替え装置。
（５）前記割り込み音源ソースは、交通情報放送局からの音源ソースである上記（４）の音源切り替え装置。
【発明の効果】
【００１７】
以上説明したように、本発明によれば、聴取ソースの切り替え時におけるスピーカからの出力音量の著しい変動をなくし、違和感の少ない適切な出力音量変化が得られる。
【実施例１】
【００１８】
以下、本発明による音源切り替え方法及び装置の好適実施形態例について添付図を参照して説明する。
【００１９】
図１は本発明の一実施例によるラジオ受信機の一実施例を示す構成ブロック図である。アンテナを介して受信した所定放送周波数の電波はチューナ１により、ＩＦ変換等の周知の受信処理が施される。チューナ１からの出力信号は、電子ボリューム回路２を介してミュート回路３に送出され、必要に応じミュート処理が施され。電子ボリューム回路２は、マイコン６からの制御信号Ａに基づいてボリューム設定値が制御される。電子ボリューム回路２からの出力は、増幅器４で増幅されてスピーカ５から出力される。
【００２０】
マイコン６は、ユーザが現在聴取中の音源ソースである被割り込みソース（通常の放送：音楽情報等）と、切り替わりにより、割り込んで入り、新たな音源ソースとしてユーザが聴取する割り込みソース（特別な放送：交通情報等）の音量情報に基づいて以下に説明するような電子ボリューム回路２の音量設定値を制御する。マイコン６は、割り込み信号の入力を受けて動作可能で、割り込み信号は、現在聴取中の放送局または割り込み側の放送局等から送出可能で、その出力源は任意である。
【００２１】
次に、電子ボリューム回路２の音量設定制御動作処理手順を、図２のフローチャートを参照しながら説明する。
【００２２】
ここで、ユーザが現在聴取中の音量（制御を受けている状態での音量を含む）をＡとする。ユーザは、被割り込み時の音量値を好みにより設定でき、この音量設定値をＢとし、また、ユーザは割り込み時の音量も設定でき、例えば、交通情報等の場合には、通常、注意を喚起するために大きな値が要望されることが多く、この音量設定値をＣとする。更に、作業用の音量設定バッファの記憶値をＤとする。
【００２３】
先ず、割り込み信号があるか否かを判定し（被割り込みソースであるか否かを判定し）（ステップＳ１）、割り込み信号がなければ、作業用音量設定バッファの記憶値をＢとし（ステップＳ２）、一方、割り込み信号があれば、音量設定バッファの記憶値をＣとする（ステップＳ３）。
【００２４】
ステップＳ２とＳ３の処理後、現在設定されている音量Ａが作業用バッファに記憶されている記憶値Ｄよりも大きいか否かを判定する（ステップＳ４）。ステップＳ４において、ＡがＤよりも大きければ、設定音量を現在の設定値Ａから単位音量変化量“１”だけ減算し、Ａ＝Ａ−１とする（ステップＳ５）。
【００２５】
また、ステップＳ４において、ＡがＤよりも大きくなければ、ＡがＤよりも小さいか否かを判定する（ステップＳ６）。ここで、ＡがＤよりも小さければ、設定音量を現在の設定値Ａから単位音量変化量“１”だけ加算し、Ａ＝Ａ＋１とし（ステップＳ７）、小さくなければ、ステップＳ１の処理に戻る。
【００２６】
ステップＳ５とＳ７の処理により得られた音量設定値Ａは制御信号Ａとして電子ボリューム回路３に送出され、出力される音量値を制御、設定する。
【００２７】
以上の処理が繰り返され実行され、設定音量は単位音量変化量ずつ変化し、フェードインまたはフェードアウト的に変化して目標音量値Ｄに到達する。
【００２８】
本実施例では、現在聴取中の通常放送情報（音楽番組）から交通情報等の特別情報番組、またはその逆に切り替わる際に、常に音量変化は漸増または漸減（フェードインまたはフェードアウト）的に変化するため、急激な音量変化がなくユーザの違和感がなくなる。
【００２９】
なお、上記実施例の説明では、ソースがラジオの場合であるが、ラジオの他に他のソースとしてカセットテーププレーヤ、ＣＤプレーヤ、ＭＤプレーヤ等の任意の音源を接続または組み込むことも可能である。
【００３０】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００３１】
【図１】本発明の一実施例によるラジオ受信機の構成ブロック図である。
【図２】図１に示すマイコンによる電子ボリューム回路の制御を説明するための動作を示すフローチャートである。
【符号の説明】
【００３２】
１     チューナ
２     電子ボリューム回路
３     ミュート回路
４     増幅器
５     スピーカ
６     マイコン
【図１】
2006166187.tif 000003
【図２】
2006166187.tif 000004